(57)【要約】タッチ式入力装置（１）は、タッチセンサ（１０）とウェイクアップ制御部（２０）を備える。タッチセンサ（１０）は圧電センサ（１１Ｐ）と検出信号生成部（１２）を備える。タッチセンサ（１０）は、操作面の押し込みおよび押し込み緩和による変位量および変位方向に応じた感知信号を出力する。検出信号生成部（１２）は、感知信号から変位検出信号（Ｓｐ）を出力する。ウェイクアップ制御部（２０）は、変位検出信号（Ｓｐ）の電圧変化から押し込みを検出する。ウェイクアップ制御部（２０）は、押し込みの検出から計時を開始し、検出時間（ΔＴｃ）内に、変位検出信号（Ｓｐ）の電圧変化から押し込みの緩和を検出すると、ウェイクアップ信号（Ｓｗｋ）を生成して、出力する。
2014073440.tif 000002
【特許請求の範囲】
【請求項１】
押し込みおよび押し込みの緩和によって生じる操作面の変位量と変位方向に応じた変位検出信号を生成する変位検出部と、
前記変位検出信号を用いて、前記変位量が増加した後に変位量が減少することを検出してウェイクアップ信号を生成するウェイクアップ制御部と、
を備えたウェイクアップ信号発生装置。
【請求項２】
前記ウェイクアップ制御部は、
前記変位量の増加を検出した時点から所定時間以内に前記変位量の減少を検出することで、前記ウェイクアップ信号を生成する、
請求項１に記載のウェイクアップ信号発生装置。
【請求項３】
前記ウェイクアップ制御部は、
前記変位検出信号を用いて、第１の変位による変位量が増加した後に、前記第１の変位に続く第ｎ（ｎは２以上の正の整数）の変位によって変位量が減少することを検出してウェイクアップ信号を生成する、
請求項１に記載のウェイクアップ信号発生装置。
【請求項４】
前記ウェイクアップ制御部は、
前記第１の変位量の増加を検出した時点から所定時間以内に、前記第ｎ（ｎは２以上の正の整数）の変位量の減少を検出することで、前記ウェイクアップ信号を生成する、
請求項３に記載のウェイクアップ信号発生装置。
【請求項５】
前記変位検出部は、
前記変位量の増加を前記変位検出信号によって検知し、ウェイクアップ準備信号を生成し、前記ウェイクアップ制御部に出力する、ウェイクアップ準備信号生成部を備え、
前記ウェイクアップ制御部は、
前記ウェイクアップ準備信号により、前記変位量の増加を検出する、
請求項１乃至請求項４のいずれかに記載のウェイクアップ信号発生装置。
【請求項６】
前記変位検出部は、
前記変位量および前記変位方向に応じた感知信号を生成する変位感知素子と、
前記感知信号の時間変位量を鈍化させて前記変位検出信号を生成する検出信号生成部と、
を備える、請求項１乃至請求項５のいずれかに記載のウェイクアップ信号発生装置。
【請求項７】
前記変位感知素子は、
前記操作面に配置された圧電フィルムと、
該圧電体に形成された導体と、を備える、請求項６に記載のウェイクアップ信号発生装置。
【請求項８】
前記圧電フィルムは、少なくとも一軸方向に延伸したポリ乳酸からなる、請求項７に記載のウェイクアップ信号発生装置。
【請求項９】
請求項１乃至請求項８のいずれかに記載のウェイクアップ信号発生装置を備え、
前記ウェイクアップ制御部は、前記ウェイクアップ信号とともに、前記変位検出信号を出力する、タッチ式入力装置。
【請求項１０】
前記変位検出部は、操作面の接触位置を検出して位置検出信号を生成する位置検出部を備え、
前記ウェイクアップ制御部は、
前記ウェイクアップ信号とともに、前記位置検出信号を出力する、
請求項９に記載のタッチ式入力装置。
【発明の詳細な説明】
【技術分野】
【０００１】
本発明は、押込検出センサからの信号を用いて、装置のウェイクアップ信号を発生するウェイクアップ信号発生装置、および当該ウェイクアップ信号発生装置を備えるタッチ式入力装置に関する。
【背景技術】
【０００２】
近年、携帯機器では、当該携帯機器の消費電力を抑制するために、節電モードやスリープモードを備えたものが各種実用化されている。節電モードやスリープモードを備える携帯機器では、携帯機器の全電源を一括操作して全機能を同時に起動もしくは停止するものではない。節電モードやスリープモードを備える携帯機器では、ＣＰＵや表示パネル（ＬＣＤ等）等の消費電力が高い機能部への電源供給を停止しておき、必要な場合にのみ当該消費電力が高い機能部へ電源供給を行っている。【０００３】
このような部分的な停止状態を解除して、消費電力の高い機能部への電源供給する通常動作状態へ移行する場合には、なんらかのトリガを与える必要がある。このトリガを与える手段として、現在ではメカニカルスイッチを用いることが多い。【０００４】
しかしながら、携帯機器は、デザイン性や防水性の向上のため、外面に露出するメカニカルスイッチを用いず、タッチパネルのようなタッチ式入力装置を用いる傾向が強くなっている。【０００５】
このようなタッチ式入力装置を用いるものとして、特許文献１では、タッチ式入力装置をタッチすることで停止状態から通常動作状態を移行することが記載されている。
【先行技術文献】
【特許文献】
【０００６】
【特許文献１】特表２００７−５０８６１９号公報
【発明の概要】
【発明が解決しようとする課題】
【０００７】
ところで、携帯機器は、鞄等に入れられた状態で持ち運ばれることが多く、持ち運ばれている際に、鞄の中の他の物と接触したり、持ち歩きの際の衝撃等により、タッチ式入力装置がタッチされたものと同等に感知してしまう可能性がある。【０００８】
このため、特許文献１では、タッチの押圧の強さに閾値を設け、閾値を超えた場合に、意図的な入力と判断して、停止状態から通常動作状態を移行する起動処理を行っている。【０００９】
しかしながら、上述の衝撃や他の物との接触により、閾値を超える押圧力が加わると、意図的でない入力であっても、起動処理が実行されてしまう。【００１０】
本発明の目的は、意図的でない接触等による起動処理の誤動作を抑制するウェイクアップ信号発生装置および当該ウェイクアップ信号発生装置を備えるタッチ式入力装置を提供することにある。
【課題を解決するための手段】
【００１１】
この発明のウェイクアップ信号発生装置は、変位検出部とウェイクアップ制御部とを備える。変位検出部は、押し込みおよび押し込みの緩和によって生じる操作面の変位量と変位方向に応じた変位検出信号を生成する。ウェイクアップ制御部は、変位検出信号を用いて、変位量が増加した後に変位量が減少することを検出してウェイクアップ信号を生成する。【００１２】
この構成では、操作面への押し込みを検出しただけでなく、押し込みの緩和を検出した場合にのみウェイクアップ信号が出力される。これにより、意図的でない接触による誤起動が抑制される。【００１３】
また、この発明のウェイクアップ信号発生装置は、次の構成であることが好ましい。ウェイクアップ制御部は、変位量の増加を検出した時点から所定時間以内に変位量の減少を検出することで、ウェイクアップ信号を生成する。【００１４】
この構成では、変位量の増加の検出から減少の検出までの時間が制限される。これにより、意図的でない接触による誤起動が、さらに確実に抑制される。【００１５】
また、この発明のウェイクアップ信号発生装置は、次の構成であってもよい。ウェイクアップ制御部は、変位検出信号を用いて、第１の変位による変位量が増加した後に、第１の変位に続く第ｎ（ｎは２以上の正の整数）の変位によって変位量が減少することを検出してウェイクアップ信号を生成する。【００１６】
この構成では、押し込みと押し込みの緩和との組合せを、連続して複数回行わなければ、ウェイクアップ信号は出力されない。これにより、意図的でない接触による誤起動が、さらに確実に抑制される。【００１７】
また、この発明のウェイクアップ信号発生装置は、次の構成であることが好ましい。ウェイクアップ制御部は、第１の変位量の増加を検出した時点から所定時間以内に、第第ｎ（ｎは２以上の正の整数）の変位量の減少を検出することで、ウェイクアップ信号を生成する。【００１８】
この構成では、１回目の押し込みと押し込みの緩和と、２回目の押し込みと押し込みの緩和との時間間隔が制限される。これにより、意図的でない接触による誤起動が、さらに確実に抑制される。【００１９】
また、この発明のウェイクアップ信号発生装置は、次の構成であることが好ましい。変位検出部は、変位量の増加を変位検出信号によって検知し、ウェイクアップ準備信号を生成してウェイクアップ制御部に出力する、ウェイクアップ準備信号生成部を備える。ウェイクアップ制御部は、ウェイクアップ準備信号により変位量の増加を検出する。【００２０】
この構成では、変位量の増加の検出が変位検出部で行われるため、変位量の増加の検出時には、ウェイクアップ制御部が停止させられる。したがって、ウェイクアップ信号発生装置を省電力化することができる。【００２１】
また、この発明のウェイクアップ信号発生装置は、次の構成であることが好ましい。変位検出部は、変位感知素子と検出信号生成部とを備える。変位感知素子は、変位量および変位方向に応じた感知信号を生成する。検出信号生成部は、感知信号の時間変位量を鈍化させて変位検出信号を生成する。【００２２】
この構成では、操作面の変位の感度を高くしながら、変位量の増加や減少の検出を、より確実に行うことができる。【００２３】
また、この発明のウェイクアップ信号発生装置は、次の構成であることが好ましい。変位感知素子は、操作面に配置された圧電フィルムと、該圧電体に形成された導体と、を備える。【００２４】
この構成では、変位に対して高感度で薄型の変位感知素子を実現できる。【００２５】
また、この発明のウェイクアップ信号発生装置は、次の構成であることが好ましい。圧電フィルムは、少なくとも一軸方向に延伸したポリ乳酸からなる。【００２６】
この構成では、変位に対してさらに高感度で、周辺温度に影響されず、薄型の変位感知素子を実現できる。【００２７】
また、この発明のタッチ式入力装置は、次の特徴を有する。タッチ式入力装置は、上述のいずれかに記載のウェイクアップ信号発生装置を備える。ウェイクアップ制御部は、ウェイクアップ信号とともに変位検出信号を出力する。【００２８】
この構成では、誤起動しにくく操作面への押し込み量を検出可能なタッチ式入力装置を実現できる。【００２９】
また、この発明のタッチ式入力装置は、次の構成を備えていてもよい。変位検出部は、操作面の接触位置を検出して位置検出信号を生成する位置検出部を備える。ウェイクアップ制御部は、ウェイクアップ信号とともに位置検出信号を出力する。【００３０】
この構成では、誤起動しにくく操作面への押し込み量と操作位置を検出可能なタッチ式入力装置を実現できる。
【発明の効果】
【００３１】
この発明によれば、意図的でない接触等による起動処理の誤動作を抑制することができる。
【図面の簡単な説明】
【００３２】
【図１】本発明の第１の実施形態に係るタッチ式入力装置のブロック図である。
【図２】本発明の第１の実施形態に係るタッチ式入力装置の変位検出信号、ウェイクアップ信号、機器動作モードの遷移を示す図である。
【図３】本発明の第１の実施形態に係るウェイクアップ信号Ｓｗｋの生成処理フローを示すフローチャートである。
【図４】本発明の第２の実施形態に係るタッチ式入力装置の変位検出信号、ウェイクアップ信号、機器動作モードの遷移を示す図である。
【図５】本発明の第２の実施形態に係るウェイクアップ信号Ｓｗｋの生成処理フローを示すフローチャートである。
【図６】本発明の第３の実施形態に係るタッチ式入力装置のブロック図である。
【図７】本発明の第３の実施形態に係るタッチ式入力装置の変位検出信号、ウェイクアップ準備信号、ウェイクアップ信号、機器動作モードの遷移を示す図である。
【図８】本発明の第３の実施形態に係るウェイクアップ信号Ｓｗｋの生成処理フローを示すフローチャートである。
【図９】本発明の第４の実施形態に係るタッチ式入力装置の変位検出信号、ウェイクアップ準備信号、ウェイクアップ信号、機器動作モードの遷移を示す図である。
【図１０】本発明の第４の実施形態に係るウェイクアップ信号Ｓｗｋの生成処理フローを示すフローチャートである。
【図１１】第１例の電子機器の外観斜視図である。
【図１２】第２例の電子機器の外観斜視図である。
【発明を実施するための形態】
【００３３】
本発明の第１の実施形態に係るタッチ式入力装置について、図を参照して説明する。図１は、本発明の第１の実施形態に係るタッチ式入力装置のブロック図である。なお、本実施形態では、後述するように、ウェイクアップ信号とともに変位検出信号を出力するタッチ式入力装置を例に説明するが、ウェイクアップ信号のみを出力する場合であれば、ウェイクアップ信号発生装置とすることができる。
【００３４】
また、本実施形態に係るタッチ式入力装置１では、操作面が、所謂長押しされることにより、当該タッチ式入力装置１が装着される電子機器が起動する場合を示す。
【００３５】
タッチ式入力装置１は、タッチセンサ１０、ウェイクアップ制御部２０を備える。タッチセンサ１０は、本発明の「変位検出部」に相当する。タッチセンサ１０は、圧電センサ１１Ｐ、検出信号生成部１２を備える。圧電センサ１１Ｐは、本発明の「変位感知素子」に相当する。
【００３６】
圧電センサ１１Ｐは、好適な構成の具体例を後述するが、ポリ乳酸等の圧電性を有する圧電フィルムと、該圧電フィルムの互いに対向する両主面に形成された変位感知用導体と、を備える。圧電センサ１１Ｐは、一方の主面が操作面となるように配置されている。圧電センサ１１Ｐは、操作者によって主面の押し込みが行われた時や、当該押し込みの緩和が行われた時に、この押し込みや押し込みの緩和による変位量および変位方向を感知し、感知信号を出力する。感知信号の信号レベルは、これら変位量および変位方向によって一意的に決定される。
【００３７】
例えば、圧電センサ１１Ｐは、操作面が押し込まれた場合に変位量に応じた大きさの正方向の電位差を瞬時的に発生し、操作面の押し込みが緩和された場合に、変位量に応じた大きさの負方向の電位差を瞬時的に発生する。この電位差は、変位量が変化しない場合には０に収束する。
【００３８】
検出信号生成部１２は、圧電センサ１１Ｐの対となる変位感知用導体に接続されている。検出信号生成部１２は、例えば積分回路等によって構成される。検出信号生成部１２は、変位量および変位方向によって決定される電位差に基づいて電圧が変化する変位検出信号Ｓｐを生成する。
【００３９】
図２は、本発明の第１の実施形態に係るタッチ式入力装置の変位検出信号、ウェイクアップ信号、機器動作モードの遷移を示す図である。
【００４０】
具体的に、変位量が変化しない定常状態では、圧電センサ１１Ｐの変位感知用導体間で電位差が生じない。この場合、変位検出信号Ｓｐは、図２に示すように、基準電圧Ｖｓｔで一定となる。
【００４１】
操作面が押し込まれ、変位感知用導体間で正方向の電位差が生じると、変位検出信号Ｓｐは、基準電圧Ｖｓｔよりも高電圧となり、極大値に達した後に基準電圧Ｖｓｔに戻る。この際、変位検出信号Ｓｐは、検出信号生成部１２の積分回路の時定数に応じて、図２に示すように、時間変化が遅い状態で電圧が上昇して低下する。すなわち、感知信号に対して、電圧値の時間変化を鈍化させることができる。
【００４２】
操作面への押し込みが緩和され、変位感知用導体間で負方向の電位差が生じると、変位検出信号Ｓｐは、基準電圧Ｖｓｔよりも低電圧となり、極大値に達した後に基準電圧Ｖｓｔに戻る。この際、変位検出信号Ｓｐは、検出信号生成部１２の積分回路の時定数に応じて、図２に示すように、時間変化が遅い状態で電圧が低下して上昇する。
【００４３】
このような電圧変化が生じる変位検出信号Ｓｐは、ウェイクアップ制御部２０に入力される。
【００４４】
ウェイクアップ制御部２０は、例えば、マイコン等からなり、当該タッチ式入力装置１が装着される電子機器のメイン制御部よりも省電力な構成からなる。ウェイクアップ制御部２０は、ＡＤＣ（アナログデジタル変換回路）を備える。ＡＤＣは、変位検出信号Ｓｐを所定のサンプリング周期でサンプリングして、デジタル信号に変換する。
【００４５】
ウェイクアップ制御部２０は、変位検出信号Ｓｐの観測を継続的に実行し、図３に示す処理によって、ウェイクアップ信号Ｓｗｋを生成する。図３は、本発明の第１の実施形態に係るウェイクアップ信号Ｓｗｋの生成処理フローを示すフローチャートである。
【００４６】
まず、ウェイクアップ制御部２０は、変位検出信号Ｓｐが極大値になったことを検出する。すなわち、ウェイクアップ制御部２０は、操作面に対して押し込みがあったことを検出する（Ｓ１０１：ＹＥＳ）。ここで、ウェイクアップ制御部２０は、押し込みがあったことが検出されるまで、すなわち変位検出信号Ｓｐの極大値を観測するまでは、この押し込み（極大値）の検出を継続する（Ｓ１０１：ＮＯ）。
【００４７】
ウェイクアップ制御部２０は、操作面に対して押し込みがあったことを検出すると（Ｓ１０１：ＹＥＳ）、この検出タイミングを計時開始時刻ｔｐとし、計時を開始する（Ｓ１０２）。ここで、計時する検出時間ΔＴｃは、予め設定された時間であり、例えば、１秒〜２秒程度あるとよい。ただし、検出時間ΔＴｃは、適宜設定可能な値であり、誤起動の抑制の条件に応じて設定することができる。
【００４８】
ウェイクアップ制御部２０は、検出時間ΔＴｃ内であれば（Ｓ１０３：ＹＥＳ）、押し込みの緩和すなわち変位検出信号Ｓｐの極小値が検出されるまで、極小値の検出を継続する（Ｓ１０４：Ｎｏ）。なお、ウェイクアップ制御部２０は、検出時間ΔＴｃ内に押し込みの緩和すなわち変位検出信号Ｓｐの極小値が検出されなければ（Ｓ１０３：ＮＯ）、ウェイクアップ信号の生成処理を停止する。
【００４９】
ウェイクアップ制御部２０は、変位検出信号Ｓｐの極小値すなわち押し込みの緩和を検出すると（Ｓ１０４：ＹＥＳ）、ウェイクアップ信号Ｓｗｋを生成して出力する（Ｓ１０５）。ウェイクアップ信号Ｓｗｋは、例えば、図２に示すように、押し込みの緩和の検出タイミングｔｄを状態遷移タイミングｔｗｋとして、Ｌｏｗ状態からＨｉ状態に遷移し、所定の時間長だけＨｉ状態を維持するパルス信号である。
【００５０】
タッチ式入力装置１が装着される電子機器は、ウェイクアップ信号ＳｗｋのＨｉ状態が入力されると起動処理を実行する。電子機器は、休止状態から動作状態に遷移し、所定の機能を実行する。
【００５１】
以上のような構成および処理を用いることで、例えば、鞄の中で操作面が他の物と接触したり、持ち歩きの際の衝撃等により、操作面が押し込まれても、当該押し込みだけではウェイクアップ信号Ｓｗｋは出力されない。これにより、電子機器の誤起動を抑制することができる。この効果は、押し込みの検出から押し込み緩和の検出までの時間（検出時間ΔＴｃ）を設けなくても実現できる。
【００５２】
このような構成および処理を用いた上で、検出時間ΔＴｃを制限することによって、意図的でないウェイクアップ信号Ｓｗｋの出力を、より確実に抑制することができる。
【００５３】
なお、ウェイクアップ制御部２０は、ウェイクアップ信号Ｓｗｋの出力とともに、変位検出信号Ｓｐの出力を開始する。電子機器は、この変位検出信号Ｓｐを用いることで、タッチセンサ１０の操作面に対する操作入力を受け付けて、所定の機能を実行することができる。
【００５４】
次に、第２の実施形態に係るタッチ式入力装置について、図を参照して説明する。図４は、本発明の第２の実施形態に係るタッチ式入力装置の変位検出信号、ウェイクアップ信号、機器動作モードの遷移を示す図である。図５は、本発明の第２の実施形態に係るウェイクアップ信号Ｓｗｋの生成処理フローを示すフローチャートである。
【００５５】
本実施形態のタッチ式入力装置は、第１の実施形態に示したタッチ式入力装置に対して、ウェイクアップ制御部２０の処理が異なるだけであり、その他の構成および処理は第１の実施形態に示したタッチ式入力装置と同じである。したがって、ウェイクアップ制御部２０の処理のみを具体的に説明する。
【００５６】
概略的には、本実施形態のタッチ式入力装置は、連続する二組の押し込みと押し込み緩和の動作（いわゆるダブルタップ）に基づいて、ウェイクアップ信号Ｓｗｋを生成する。
【００５７】
まず、ウェイクアップ制御部２０は、変位検出信号Ｓｐが最初に極大値になったことを検出する。すなわち、ウェイクアップ制御部２０は、操作面に対して最初の押し込み（第１の押し込み）があったことを検出する（Ｓ２０１：ＹＥＳ）。ここで、ウェイクアップ制御部２０は、第１の押し込みがあったことが検出されるまで、すなわち変位検出信号Ｓｐの第１の極大値を観測するまでは、この第１の押し込み（第１の極大値）の検出を継続する（Ｓ２０１：ＮＯ）。
【００５８】
ウェイクアップ制御部２０は、操作面に対して第１の押し込みがあったことを検出すると（Ｓ２０１：ＹＥＳ）、この検出タイミングを計時開始時刻ｔｐ１とし、計時を開始する（Ｓ２０２）。ここで、計時する検出時間ΔＴｃは、第１の実施形態と同様に、予め設定された時間である。
【００５９】
ウェイクアップ制御部２０は、検出時間ΔＴｃ内であれば（Ｓ２０３：ＹＥＳ）、２回目の押し込みの緩和（第２の押し込みの緩和）すなわち変位検出信号Ｓｐの２回目の極小値（第２の極小値）が検出されるまで、第２の極小値の検出を継続する（Ｓ２０４：Ｎｏ）。なお、ウェイクアップ制御部２０は、検出時間ΔＴｃ内に第２の押し込みの緩和すなわち変位検出信号Ｓｐの第２の極小値が検出されなければ（Ｓ２０３：ＮＯ）、ウェイクアップ信号の生成処理を停止する。
【００６０】
ここで、２回目の押し込みの緩和とは、次のように定義される。まず、図２に示すように、変位検出信号Ｓｐの電圧値から、１回目の押し込み（第１の押し込み）と１回目の押し込み緩和（第１の押し込み緩和）が検出される。この１回目の押し込みと押し込み緩和の組が検出された後に、変位検出信号Ｓｐの電圧値から、２回目の押し込み（第２の押し込み）と２回目の押し込み緩和（第２の押し込み緩和）が検出される。
【００６１】
ウェイクアップ制御部２０は、変位検出信号Ｓｐの第２の極小値すなわち第２の押し込みの緩和を検出すると（Ｓ２０４：ＹＥＳ）、ウェイクアップ信号Ｓｗｋを生成して出力する（Ｓ２０５）。ウェイクアップ信号Ｓｗｋは、例えば、図４に示すように、押し込みの緩和の検出タイミングｔｄ２を状態遷移タイミングｔｗｋとして、Ｌｏｗ状態からＨｉ状態に遷移し、所定の時間長だけＨｉ状態を維持するパルス信号である。
【００６２】
タッチ式入力装置１が装着される電子機器は、ウェイクアップ信号ＳｗｋのＨｉ状態が入力されると起動処理を実行する。電子機器は、休止状態から動作状態に遷移し、所定の機能を実行する。
【００６３】
以上のような構成および処理を用いても、当該タッチ式入力装置が装着される電子機器の誤起動を抑制することができる。さらに、本実施形態の構成では、押し込みと押し込み緩和の組からなる動作を、複数回検出しなければ、ウェイクアップ信号Ｓｗｋが生成されないので、誤起動を、より確実に抑制することができる。なお、上記実施形態では、ｎが二回の検出でウェイクアップ信号Ｓｗｋが生成される場合について説明したが、これに限るものではなく、例えば、三回以上の検出でウェイクアップ信号Ｓｗｋが生成されるようにしても良い。
【００６４】
次に、第３の実施形態に係るタッチ式入力装置について、図を参照して説明する。図６は、本発明の第３の実施形態に係るタッチ式入力装置のブロック図である。図７は、本発明の第３の実施形態に係るタッチ式入力装置の変位検出信号、ウェイクアップ信号、機器動作モードの遷移を示す図である。図８は、本発明の第３の実施形態に係るウェイクアップ信号Ｓｗｋの生成処理フローを示すフローチャートである。
【００６５】
本実施形態のタッチ式入力装置１Ａは、第１の実施形態に示したタッチ式入力装置１に対して、タッチセンサ１０Ａの構成及び処理、ウェイクアップ制御部２０の処理が異なるものである。したがって、第１の実施形態のタッチ式入力装置１に対して異なる箇所のみを具体的に説明する。
【００６６】
タッチセンサ１０Ａは、圧電センサ１１Ｐ、検出信号生成部１２、および準備信号生成部１３を備える。検出信号生成部１２は、変位検出信号Ｓｐを、ウェイクアップ制御部２０に出力するとともに、準備信号生成部１３にも出力する。
【００６７】
準備信号生成部１３は、変位検出信号Ｓｐの電圧値からウェイクアップ準備信号Ｓｗｐを生成し、ウェイクアップ制御部２０に出力する。準備信号生成部１３は、基準電圧Ｖｓｔよりも高電圧の検出閾値Ｖｔｈを予め設定している。準備信号生成部１３は、変位検出信号Ｓｐの電圧値と検出閾値Ｖｔｈを比較する。準備信号生成部１３は、変位検出信号Ｓｐの電圧値が検出閾値Ｖｔｈ以上の期間は（Ｓ３３１：ＹＥＳ）、ウェイクアップ準備信号ＳｗｐをＨｉ状態にする（Ｓ３３２）。準備信号生成部１３は、変位検出信号Ｓｐの電圧値が検出閾値未満の期間は（Ｓ３３１：ＮＯ）、ウェイクアップ準備信号ＳｗｐをＬｏｗ状態にする（Ｓ３３３）。
【００６８】
このような処理を行うことで、図７に示すように、変位検出信号Ｓｐの電圧値が基準電圧Ｖｓｔから検出閾値Ｖｔｈに達する時間ｔｐ１１を、ウェイクアップ準備信号ＳｗｐがＬｏｗ状態からＨｉ状態に遷移するタイミングｔｃｓとすることができる。また、変位検出信号Ｓｐの電圧値が検出閾値Ｖｔｈ以上から検出閾値Ｖｔｈ未満に低下する時間ｔｐ１２を、ウェイクアップ準備信号ＳｗｐがＨｉ状態からＬｏｗ状態に遷移するタイミングｔｃｅとすることができる。これにより、ウェイクアップ準備信号Ｓｗｐは、操作面が押し込まれて変位検出信号Ｓｐが検出閾値Ｖｔｈ以上を維持する期間でＨｉ状態となるパルス信号として出力される。すなわち、このような処理を行うことで、操作面への押し込みを検出した信号を生成することができる。
【００６９】
ウェイクアップ制御部２０は、Ｈｉ状態のウェイクアップ準備信号Ｓｗｐが入力されるまでは、休止状態にある（Ｓ３０１：ＮＯ）。ウェイクアップ制御部２０は、ウェイクアップ準備信号ＳｗｐがＨｉ状態に遷移したことにより起動し、ウェイクアップ準備状態となる（Ｓ３０１：ＹＥＳ）。ウェイクアップ制御部２０は、このＨｉ状態への遷移タイミングを計時開始時刻とし、計時を開始する（Ｓ３０２）。ここで、計時する検出時間ΔＴｃは、予め設定された時間である。
【００７０】
ウェイクアップ制御部２０は、検出時間ΔＴｃ内であれば（Ｓ３０３：ＹＥＳ）、押し込みの緩和すなわち変位検出信号Ｓｐの極小値が検出されるまで、極小値の検出を継続する（Ｓ３０４：Ｎｏ）。なお、ウェイクアップ制御部２０は、検出時間ΔＴｃ内に押し込みの緩和すなわち変位検出信号Ｓｐの極小値が検出されなければ（Ｓ３０３：ＮＯ）、ウェイクアップ信号の生成処理を停止する。
【００７１】
ウェイクアップ制御部２０は、変位検出信号Ｓｐの極小値すなわち押し込みの緩和を検出すると（Ｓ３０４：ＹＥＳ）、ウェイクアップ信号Ｓｗｋを生成して出力する（Ｓ３０５）。
【００７２】
ウェイクアップ信号Ｓｗｋは、図７に示すように、押し込みの緩和の検出タイミングｔｄを状態遷移タイミングｔｗｋとして、Ｌｏｗ状態からＨｉ状態に遷移し、所定の時間長だけＨｉ状態を維持するパルス信号である。
【００７３】
タッチ式入力装置１Ａが装着される電子機器は、ウェイクアップ信号ＳｗｋのＨｉ状態が入力されると起動処理を実行する。電子機器は、休止状態から動作状態に遷移し、所定の機能を実行する。
【００７４】
以上のような構成および処理を用いることでも、第１の実施形態に係るタッチ式入力装置１と同様に、電子機器の誤起動を抑制することができる。
【００７５】
さらに、本実施形態の構成および処理では、押し込みが検出されるまでウェイクアップ制御２０が休止状態にあり、この期間は、タッチセンサ１０Ａのみが動作している。したがって、タッチ式入力装置１Ａを、上述の実施形態に示したタッチ式入力装置１よりも省電力化することができる。
【００７６】
次に、第４の実施形態に係るタッチ式入力装置について、図を参照して説明する。図９は、本発明の第４の実施形態に係るタッチ式入力装置の変位検出信号、ウェイクアップ信号、機器動作モードの遷移を示す図である。図１０は、本発明の第４の実施形態に係るウェイクアップ信号Ｓｗｋの生成処理フローを示すフローチャートである。
【００７７】
本実施形態のタッチ式入力装置１Ａは、第３の実施形態に示したタッチ式入力装置と同じ構成であり、第２の実施形態に示したタッチ式入力装置１に対して、タッチセンサ１０Ａの構成及び処理、ウェイクアップ制御部２０の処理が異なるものである。したがって、第２、第３の実施形態のタッチ式入力装置に対して異なる箇所のみを具体的に説明する。
【００７８】
準備信号生成部１３は、変位検出信号Ｓｐの電圧値からウェイクアップ準備信号Ｓｗｐを生成し、ウェイクアップ制御部２０に出力する。準備信号生成部１３は、変位検出信号Ｓｐの電圧値と検出閾値Ｖｔｈを比較する。準備信号生成部１３は、変位検出信号Ｓｐの電圧値が検出閾値Ｖｔｈ以上の期間であり（Ｓ４３１：ＹＥＳ）、且つ休止中における１回目であれば（Ｓ４３４：ＹＥＳ）、ウェイクアップ準備信号ＳｗｐをＨｉ状態にする（Ｓ４３２）。準備信号生成部１３は、変位検出信号Ｓｐの電圧値が検出閾値未満の期間は（Ｓ４３１：ＮＯ）、ウェイクアップ準備信号ＳｗｐをＬｏｗ状態にする（Ｓ４３３）。また、準備信号生成部１３は、変位検出信号Ｓｐの電圧値が検出閾値Ｖｔｈ以上であっても１回目で無ければ（Ｓ４３１：ＹＥＳ且つＳ４３４：ＮＯ）、ウェイクアップ準備信号ＳｗｐをＬｏｗ状態にする（Ｓ４３３）。
【００７９】
このような処理を行うことで、図９に示すように、休止状態において、変位検出信号Ｓｐの電圧値が基準電圧Ｖｓｔから検出閾値Ｖｔｈに最初に達する時間ｔｐ１１を、ウェイクアップ準備信号ＳｗｐがＬｏｗ状態からＨｉ状態に遷移するタイミングｔｃｓとすることができる。また、変位検出信号Ｓｐの電圧値が最初に検出閾値Ｖｔｈ以上から検出閾値Ｖｔｈ未満に低下する時間ｔｐ１２を、ウェイクアップ準備信号ＳｗｐがＨｉ状態からＬｏｗ状態に遷移するタイミングｔｃｅとすることができる。これにより、ウェイクアップ準備信号Ｓｗｐは、休止状態において操作面が最初に押し込まれて変位検出信号Ｓｐが検出閾値Ｖｔｈ以上を維持する期間でＨｉ状態となるパルス信号として出力される。すなわち、このような処理を行うことで、操作面への第１の押し込みを検出した信号を生成することができる。
【００８０】
ウェイクアップ制御部２０は、ウェイクアップ準備信号ＳｗｐがＨｉ状態になったことにより起動し、操作面に対して最初の押し込み（第１の押し込み）があったことを検出する（Ｓ４０１：ＹＥＳ）。ここで、ウェイクアップ制御部２０は、第１の押し込みがあったことが検出されるまで、すなわちウェイクアップ準備信号ＳｗｐがＨｉ状態になるまでは、休止状態となっている（Ｓ４０１：ＮＯ）。
【００８１】
ウェイクアップ制御部２０は、操作面に対して第１の押し込みがあったことを検出すると（Ｓ４０１：ＹＥＳ）、この検出タイミングを計時開始時刻ｔｐ１とし、計時を開始する（Ｓ４０２）。ここで、計時する検出時間ΔＴｃは、第２の実施形態と同様に、予め設定された時間である。
【００８２】
ウェイクアップ制御部２０は、検出時間ΔＴｃ内であれば（Ｓ４０３：ＹＥＳ）、２回目の押し込みの緩和（第２の押し込みの緩和）すなわち変位検出信号Ｓｐの２回目の極小値（第２の極小値）が検出されるまで、第２の極小値の検出を継続する（Ｓ４０４：Ｎｏ）。なお、ウェイクアップ制御部２０は、検出時間ΔＴｃ内に第２の押し込みの緩和すなわち変位検出信号Ｓｐの第２の極小値が検出されなければ（Ｓ２０３：ＮＯ）、ウェイクアップ信号の生成処理を停止する。
【００８３】
ここで、２回目の押し込みの緩和とは、次のように定義される。まず、図９に示すように、変位検出信号Ｓｐの電圧値から、１回目の押し込み緩和（第１の押し込み緩和）が検出される。この１回目の押し込み緩和が検出された後に、変位検出信号Ｓｐの電圧値から、２回目の押し込み（第２の押し込み）と２回目の押し込み緩和（第２の押し込み緩和）が検出される。
【００８４】
ウェイクアップ制御部２０は、変位検出信号Ｓｐの第２の極小値すなわち第２の押し込みの緩和を検出すると（Ｓ４０４：ＹＥＳ）、ウェイクアップ信号Ｓｗｋを生成して出力する（Ｓ４０５）。ウェイクアップ信号Ｓｗｋは、図９に示すように、押し込みの緩和の検出タイミングｔｄ２を状態遷移タイミングｔｗｋとして、Ｌｏｗ状態からＨｉ状態に遷移し、所定の時間長だけＨｉ状態を維持するパルス信号である。
【００８５】
タッチ式入力装置１Ａが装着される電子機器は、ウェイクアップ信号ＳｗｋのＨｉ状態が入力されると起動処理を実行する。電子機器は、休止状態から動作状態に遷移し、所定の機能を実行する。
【００８６】
以上のような構成および処理を用いることでも、第２の実施形態に係るタッチ式入力装置１と同様に、電子機器の誤起動を抑制することができる。
【００８７】
さらに、本実施形態の構成および処理では、押し込みが検出されるまでウェイクアップ制御２０が休止状態にあり、この期間は、タッチセンサ１０Ａのみが動作している。したがって、タッチ式入力装置１Ａを、上述の実施形態に示したタッチ式入力装置１よりも省電力化することができる。
【００８８】
なお、上述のタッチ式入力装置が装着される電子機器は、例えば、次のような構成である。図１１は第１例の電子機器の外観斜視図である。図１２は第２例の電子機器の外観斜視図である。なお、図１１、図１２では、タッチセンサ１０が記載されているが、タッチセンサ１０Ａであってもよい。
【００８９】
図１１に示す第１例の電子機器３０は、携帯可能な程度の大きさからなる略直方体形状の筐体３００を備える。筐体３００は、長さおよび幅が厚さよりも大きな、概略的に平板状の形状からなる。筐体３００の一方の平板面（厚さ方向に直交する面）が操作面３０１となる。操作面３０１には、表示パネル４０が略全面に配置されている。表示パネル４０は薄型ディスプレイであればよく、例えば液晶ディスプレイからなる。操作面３０１における表示パネル４０が配置されていない領域には、タッチ式入力装置のタッチセンサ１０が配置されている。タッチセンサ１０の圧電センサ１１Ｐの主面が操作面３０１に略一致し、且つ平行になるように、タッチセンサ１０は、筐体３００の操作面３０１に配置されている。なお、図１１では、タッチセンサ１０が操作面３０１に配置されている例を示したが、筐体３００の他の面に配置されていてもよい。
【００９０】
図１２に示す第２の電子機器３０Ａは、携帯可能な程度の大きさからなる略直方体形状の筐体３００Ａを備える。筐体３００Ａも、図１１の筐体３００と同様に、概略的に平板状の形状からなる。筐体３００の一方の平板面（厚さ方向に直交する面）が操作面３０１Ａとなる。操作面３０１Ａには、表示パネル４０Ａが略全面に配置されている。表示パネル４０Ａは薄型ディスプレイである。操作面３０１Ａにおける表示パネル４０Ａの表面には、タッチ式入力装置のタッチセンサ１０が配置されている。タッチセンサ１０の圧電センサ１１Ｐの主面が操作面３０１に略一致し、且つ平行になるように、タッチセンサ１０は、筐体３００の操作面３０１に配置されている。
【００９１】
このような電子機器３０，３０Ａでは、持ち運び時に操作面３０１，３０１Ａのタッチセンサ１０が他のものに接触したり、強い衝撃を受けたりすることで、押し込まれやすい。しかしながら、上述の構成からなるタッチ式入力装置１を用いることで、このような意図的でない押し込みによる電子機器３０，３０Ａの誤起動を抑制することができる。
【００９２】
また、圧電センサ１１Ｐを構成する圧電フィルムの材料は、次の構成であることが好ましい。
【００９３】
圧電フィルムは、一軸延伸されたＬ型ポリ乳酸（ＰＬＬＡ）によって形成されている。
【００９４】
ＰＬＬＡは、キラル高分子であり、主鎖が螺旋構造を有する。ＰＬＬＡは、一軸延伸され、分子が配向すると、圧電性を有する。そして、一軸延伸されたＰＬＬＡは、圧電フィルムの平板面が押し込まれることにより、電荷を発生する。この際、発生する電荷量は、押し込みにより平板面が、当該平板面に直交する方向へ変位する変位量によって一意的に決定される。
【００９５】
一軸延伸されたＰＬＬＡの圧電定数は、高分子中で非常に高い部類に属する。したがって、押し込みおよび押し込み緩和による変位を高感度に検出することができる。
【００９６】
なお、延伸倍率は３〜８倍程度が好適である。延伸後に熱処理を施すことにより、ポリ乳酸の延びきり鎖結晶の結晶化が促進され圧電定数が向上する。尚、二軸延伸した場合はそれぞれの軸の延伸倍率を異ならせることによって一軸延伸と同様の効果を得ることが出来る。例えばある方向をＸ軸としてその方向に８倍、その軸に直交するＹ軸方向に２倍の延伸を施した場合、圧電定数に関してはおよそＸ軸方向に４倍の一軸延伸を施した場合とほぼ同等の効果が得られる。単純に一軸延伸したフィルムは延伸軸方向に沿って裂け易いため、前述したような二軸延伸を行うことにより幾分強度を増すことができる。
【００９７】
また、ＰＬＬＡは、延伸等による分子の配向処理で圧電性を生じ、ＰＶＤＦ等の他のポリマーや圧電セラミックスのように、ポーリング処理を行う必要がない。すなわち、強誘電体に属さないＰＬＬＡの圧電性は、ＰＶＤＦやＰＺＴ等の強誘電体のようにイオンの分極によって発現するものではなく、分子の特徴的な構造である螺旋構造に由来するものである。このため、ＰＬＬＡには、他の強誘電性の圧電体で生じる焦電性が生じない。さらに、ＰＶＤＦ等は経時的に圧電定数の変動が見られ、場合によっては圧電定数が著しく低下する場合があるが、ＰＬＬＡの圧電定数は経時的に極めて安定している。したがって、周囲環境に影響されることなく、押し込みおよび押し込み緩和による変位を高感度に検出することができる。
【００９８】
また、ＰＬＬＡは比誘電率が約２．５と非常に低いため、ｄを圧電定数とし、εＴを誘電率とすると、圧電出力定数（＝圧電ｇ定数、ｇ＝ｄ／εＴ）が大きな値となる。
【００９９】
ここで、誘電率ε３３Ｔ＝１３×ε０，圧電定数ｄ３１＝２５ｐＣ／ＮのＰＶＤＦの圧電ｇ定数は、上述の式から、ｇ３１＝０．２１７２Ｖｍ／Ｎとなる。一方、圧電定数ｄ１４＝１０ｐＣ／ＮであるＰＬＬＡの圧電ｇ定数をｇ３１に換算して求めると、ｄ１４＝２×ｄ３１であるので、ｄ３１＝５ｐＣ／Ｎとなり、圧電ｇ定数は、ｇ３１＝０．２２５８Ｖｍ／Ｎとなる。したがって、圧電定数ｄ１４＝１０ｐＣ／ＮのＰＬＬＡで、ＰＶＤＦと同様の押し込み量の検出感度を十分に得ることができる。そして、本願発明の発明者らは、ｄ１４＝１５〜２０ｐＣ／ＮのＰＬＬＡを実験的に得ており、当該ＰＬＬＡを用いることで、さらに非常に高感度に押し込みおよび押し込み緩和を検出することが可能になる。
【０１００】
このような特性を有するＰＬＬＡからなる圧電フィルムの両主面には、押し込み検出用導体が、所定のパターンで形成されている。押し込み検出用導体は、ＩＴＯ、ＺｎＯ、銀ナノワイヤ、ポリチオフェンを主成分とする有機電極、ポリアニリンを主成分とする有機電極のいずれかを用いるのが好適である。これらの材料を用いることで、透光性の高い導体パターンを形成できる。尚、透明性が必要とされない場合には銀ペーストにより形成された電極や、蒸着やスパッタ、あるいはメッキなどにより形成された金属系の導体を用いることもできる。
【０１０１】
また、上述の実施形態では、タッチセンサに圧電センサ１１Ｐを備えた例を示したが、圧電センサ１１Ｐとともに静電センサを備えるようにしてもよい。この場合、静電センサを構成する位置検出用導体を、圧電フィルムの両面に形成するとよりよい。
【０１０２】
この構成では、操作面に操作者の指等が接触すると、接触した位置に応じて、両面の位置検出用導体間の静電容量が変化し、この静電容量に応じた接触信号が得られる。これにより、操作面での押し込みによる変位量だけでなく、押し込み位置を検出することができる。
【０１０３】
したがって、この接触信号を、変位検出信号Ｓｐとともに出力することで、押し込み量と押し込み位置を電子機器に出力することができる。
【０１０４】
また、上述の実施形態では、圧電センサ１１Ｐからの感知信号を、検出信号生成部１２で所定の処理を行って変位検出信号Ｓｐに変換する例を示したが、感知信号をそのまま変位検出信号Ｓｐとして出力するようにすることもできる。
【符号の説明】
【０１０５】
１，１Ａ：タッチ式入力装置、
１０，１０Ａ：タッチセンサ、
１１Ｐ：圧電センサ、
１２：検出信号生成部、
１３：準備信号生成部、
２０：ウェイクアップ制御部
３０，３０Ａ：電子機器、
３００，３００Ａ：筐体、
３０１，３０１Ａ：操作面、
４０，４０Ａ：表示パネル
【図１】
2014073440.tif 000003
【図２】
2014073440.tif 000004
【図３】
2014073440.tif 000005
【図４】
2014073440.tif 000006
【図５】
2014073440.tif 000007
【図６】
2014073440.tif 000008
【図７】
2014073440.tif 000009
【図８】
2014073440.tif 000010
【図９】
2014073440.tif 000011
【図１０】
2014073440.tif 000012
【図１１】
2014073440.tif 000013
【図１２】
2014073440.tif 000014
【手続補正書】
【提出日】平成27年9月2日(2015.9.2)
【手続補正１】
【補正対象書類名】特許請求の範囲
【補正対象項目名】全文
【補正方法】変更
【補正の内容】
【特許請求の範囲】
【請求項１】
押し込みおよび押し込みの緩和によって生じる操作面の変位量と変位方向に応じた変位検出信号を生成する変位検出部と、
前記変位検出信号を用いて、前記変位量が増加した後に変位量が減少することを検出してウェイクアップ信号を生成するウェイクアップ制御部と、
を備え、
前記ウェイクアップ制御部は、
前記変位量の増加を検出した時点から所定時間以内に前記変位量の減少を検出すると、前記ウェイクアップ信号を生成し、
前記変位量の増加を検出した時点から所定時間以内に前記変位量の減少を検出しないと、前記ウェイクアップ信号を生成しない、
ウェイクアップ信号発生装置。
【請求項２】
前記ウェイクアップ制御部は、
前記変位検出信号を用いて、第１の変位による変位量が増加した後に、前記第１の変位に続く第ｎ（ｎは２以上の正の整数）の変位によって変位量が減少することを検出してウェイクアップ信号を生成する、
請求項１に記載のウェイクアップ信号発生装置。
【請求項３】
前記ウェイクアップ制御部は、
前記第１の変位量の増加を検出した時点から所定時間以内に、前記第ｎ（ｎは２以上の正の整数）の変位量の減少を検出することで、前記ウェイクアップ信号を生成する、
請求項２に記載のウェイクアップ信号発生装置。
【請求項４】
前記変位検出部は、
前記変位量の増加を前記変位検出信号によって検知し、ウェイクアップ準備信号を生成し、生成したウェイクアップ準備信号を前記ウェイクアップ制御部に出力する、ウェイクアップ準備信号生成部を備え、
前記ウェイクアップ制御部は、
前記ウェイクアップ準備信号により、前記変位量の増加を検出する、
請求項１乃至請求項３のいずれかに記載のウェイクアップ信号発生装置。
【請求項５】
前記変位検出部は、
前記変位量および前記変位方向に応じた感知信号を生成する変位感知素子と、
前記感知信号の時間変位量を鈍化させて前記変位検出信号を生成する検出信号生成部と、
を備える、請求項１乃至請求項４のいずれかに記載のウェイクアップ信号発生装置。
【請求項６】
前記変位感知素子は、
前記操作面に配置された圧電フィルムと、
該圧電フィルムに形成された導体と、を備える、請求項５に記載のウェイクアップ信号発生装置。
【請求項７】
前記圧電フィルムは、少なくとも一軸方向に延伸したポリ乳酸からなる、請求項６に記載のウェイクアップ信号発生装置。
【請求項８】
請求項１乃至請求項７のいずれかに記載のウェイクアップ信号発生装置を備え、
前記ウェイクアップ制御部は、前記ウェイクアップ信号とともに、前記変位検出信号を出力する、タッチ式入力装置。
【請求項９】
前記変位検出部は、操作面の接触位置を検出して位置検出信号を生成する位置検出部を備え、
前記ウェイクアップ制御部は、
前記ウェイクアップ信号とともに、前記位置検出信号を出力する、
請求項８に記載のタッチ式入力装置。
【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
押し込みおよび押し込みの緩和によって生じる操作面の変位量と変位方向に応じた変位検出信号を生成する変位検出部と、
前記変位検出信号を用いて、前記変位量が増加した後に変位量が減少することを検出してウェイクアップ信号を生成するウェイクアップ制御部と、
を備え、
前記ウェイクアップ信号は、電子機器に起動処理を実行させる信号であり、
前記変位検出部は、前記変位量の増加を前記変位検出信号によって検知し、ウェイクアップ準備信号を生成し、生成したウェイクアップ準備信号を前記ウェイクアップ制御部に出力する、ウェイクアップ準備信号生成部を備え、
前記ウェイクアップ制御部は、前記ウェイクアップ準備信号が入力されると起動し、
前記ウェイクアップ制御部は、
前記ウェイクアップ準備信号が入力されてから所定時間以内に前記変位量の減少を検出すると、前記ウェイクアップ信号を生成し、
前記ウェイクアップ準備信号が入力されてから所定時間以内に前記変位量の減少を検出しないと、前記ウェイクアップ信号を生成しない、
ウェイクアップ信号発生装置。
【請求項２】
前記ウェイクアップ制御部は、
前記変位検出信号を用いて、第１の変位による変位量が増加した後に、前記第１の変位に続く第ｎ（ｎは２以上の正の整数）の変位によって変位量が減少することを検出してウェイクアップ信号を生成する、
請求項１に記載のウェイクアップ信号発生装置。
【請求項３】
前記ウェイクアップ制御部は、
前記第１の変位量の増加を検出した時点から所定時間以内に、前記第ｎ（ｎは２以上の正の整数）の変位量の減少を検出することで、前記ウェイクアップ信号を生成する、
請求項２に記載のウェイクアップ信号発生装置。
【請求項４】
前記変位検出部は、
前記変位量および前記変位方向に応じた感知信号を生成する変位感知素子と、
前記感知信号の時間変位量を鈍化させて前記変位検出信号を生成する検出信号生成部と、
を備える、請求項１乃至請求項３のいずれかに記載のウェイクアップ信号発生装置。
【請求項５】
前記変位感知素子は、
前記操作面に配置された圧電フィルムと、
該圧電フィルムに形成された導体と、を備える、請求項４に記載のウェイクアップ信号発生装置。
【請求項６】
前記圧電フィルムは、少なくとも一軸方向に延伸したポリ乳酸からなる、請求項５に記載のウェイクアップ信号発生装置。
【請求項７】
請求項１乃至請求項６のいずれかに記載のウェイクアップ信号発生装置を備え、
前記ウェイクアップ制御部は、前記ウェイクアップ信号とともに、前記変位検出信号を出力する、タッチ式入力装置。
【請求項８】
前記変位検出部は、操作面の接触位置を検出して位置検出信号を生成する位置検出部を備え、
前記ウェイクアップ制御部は、
前記ウェイクアップ信号とともに、前記位置検出信号を出力する、
請求項７に記載のタッチ式入力装置。
【国際調査報告】
2014073440.tif 000015
2014073440.tif 000016